(57)【要約】【課題】無線基地局内の固定無線局における動作異常を検知し、検知に伴う動作停止と初期化設定を行う、固定無線局のリセット及び初期化設定システム及びその方法を提供することを目的とする。【解決手段】固定無線局１００は、自局用メモリ２１のデータに基づき、他の無線基地局内の固定無線局又は当該の無線基地局内の他の固定無線局と通信中、いずれか一方の固定無線局が相手の固定無線局の動作異常を固定無線局制御部１０で検知してリセット指令を送信し、送信されたリセット指令を受信してリセット指令分析手段１１で検出すると、中継動作を一旦リセットし、初期設定をやり直した後、中継を再開し、初期設定やり直し時に自局用メモリ２１のデータが消失していると、当該又は他の無線基地局内の固定無線局から自局用メモリのデータをコピーして初期設定をやり直した後、中継を再開する。【選択図】      図１
2007274470.tif 000002
【特許請求の範囲】
【請求項１】
複数の移動無線局が、所定の無線基地局の所定の固定無線局に属し、前記固定無線局が、前記無線基地局間及び／又は前記無線基地局内間で、互いに通信動作状況を確認し合いながら、前記無線基地局間又は前記無線基地局内の前記移動無線局の通信の中継を行う前記固定無線局のリセット及び初期化設定システムであって、
前記固定無線局は固定無線局制御部とイーサネット（登録商標）制御部とメモリ部とを有し、前記固定無線局制御部はリセット指令分析手段を有し、前記メモリ部は自局データを記憶する自局用メモリと他局データを記憶する他局用メモリとを有し、
前記固定無線局制御部は前記メモリ部と前記イーサネット制御部とに接続され、且つ前記イーサネット制御部はＩＰネットワークに接続され、
前記固定無線局は、前記自局用メモリの自局データに基づき、他の前記無線基地局内の前記固定無線局又は当該の前記無線基地局内の他の前記固定無線局と通信中、いずれか一方の固定無線局が相手の固定無線局の動作異常を前記固定無線局制御部で検知してリセット指令を送信し、他方の固定無線局が送信されたリセット指令を受信して前記リセット指令分析手段で検出すると、中継動作を一旦リセットし、初期設定をやり直した後、中継を再開し、
前記初期設定やり直し時に前記自局用メモリの自局データが消失していると、当該又は他の前記無線基地局内の前記固定無線局から前記自局用メモリの自局データをコピーして初期設定をやり直した後、中継を再開することを特徴とする固定無線局のリセット及び初期化設定システム。
【請求項２】
前記送信されたリセット指令を検出した固定無線局は、前記初期設定やり直し時に前記自局用メモリの自局データが消失している場合、前記リセット指令が当該の前記無線基地局内の他の前記固定無線局から送信されていると、該固定無線局から前記自局用メモリの自局データをコピーして初期設定をやり直した後、中継を再開し、
前記リセット指令が他の前記無線基地局内の前記固定無線局から送信されていると、当該の前記無線基地局内のいずれかの前記固定無線局から前記自局用メモリの自局データをコピーして初期設定をやり直した後、中継を再開することを特徴とする固定無線局のリセット及び初期化設定システム。
【請求項３】
複数の移動無線局が、所定の無線基地局の所定の固定無線局に属し、前記固定無線局が、前記無線基地局間及び／又は前記無線基地局内間で、互いに通信動作状況を確認し合いながら、前記無線基地局間又は前記無線基地局内の前記移動無線局の通信の中継を行う前記固定無線局のリセット及び初期化設定方法であって、
前記固定無線局が、他の前記無線基地局内の前記固定無線局又は当該の前記無線基地局内の他の前記固定無線局と通信中、いずれか一方の固定無線局が相手の固定無線局の動作異常を検知してリセット指令を送信するステップと、
他方の固定無線局が前記送信されたリセット指令を受信して検出するステップと、
前記リセット指令を検出すると中継動作を一旦リセットするステップと、
前記リセットを行った後、初期設定をやり直すステップと、
前記初期設定のやり直し時に前記自局用メモリの自局データが消失しているか否かを判断するステップと、
前記自局データが消失していなければ、初期設定の終了後、中継を再開するステップと、
前記自局データが消失していれば、当該又は他の前記無線基地局内の前記固定無線局から前記自局用メモリの自局データをコピーして初期設定をやり直した後、中継を再開するステップとを有することを特徴とする固定無線局のリセット及び初期化設定方法。
【発明の詳細な説明】
【技術分野】
【０００１】
本発明は、無線基地局内の固定無線局における動作異常の検知とその修復に関し、詳しくは、異常の検知に伴い動作停止と初期化設定を行う、固定無線局のリセット及び初期化設定システム及びその方法に関する。
【背景技術】
【０００２】
図３は、無線基地局と移動無線局とによる無線通信システムの構成を示すシステム構成図である。無線基地局２００は、固定無線局１１０、１２０、１３０及びアンテナ１１４、１２４、１３４から構成される。固定無線局１１０、１２０、１３０は、それぞれイーサネット（登録商標）回線４０によりＩＰネットワーク３００に接続され、互いの通信動作状態を確認し合っている。固定無線局１１０は、周波数帯バンドＡにおいてアンテナ１１４を介し、自局内の移動無線局１１１〜１１３間、又は自局内の移動無線局１１１〜１１３のいずれかと他局の移動無線局との通信を中継している。
【０００３】
固定無線局１２０は、周波数帯バンドＢにおいてアンテナ１２４を介し、自局内の移動無線局１２１〜１２３間、又は自局内の移動無線局１２１〜１２３のいずれかと他局の移動無線局との通信を中継している。同様に固定無線局１３０は、周波数帯バンドＣにおいてアンテナ１３４を介し、自局内の移動無線局１３１〜１３３間、又は自局内の移動無線局１３１〜１３３のいずれかと他局の移動無線局との通信を中継している。
【０００４】
図４は、従来の固定無線局を示す回路ブロック図である。図４において固定無線局１４０は、固定無線局制御部１０とメモリ部２０とイーサネット制御部３０とを有する。固定無線局制御部１０は、メモリ部２０とイーサネット制御部３０とに接続され、イーサネット制御部３０は、イーサネット回線４０を介してＩＰネットワーク３００に接続されている。メモリ部２０は、自局用のメモリ２１を有している。
【０００５】
図３における固定無線局１１０を、図４の固定無線局１４０により動作させるとする。固定無線局制御部１０は、イーサネット制御部３０を通して他の固定無線局１２０、１３０と動作状況を確認し合う機能と、自局の動作を統括する機能とを有している。このためメモリ部２０の自局用のメモリ２１には、自局に属する移動無線局の固有のＩＤ、他の固定無線局１２０、１３０が有する固有のＩＤ、自局が使用可能なバンドＡの各チャネルの無線周波数等、重要なデータが保存されている。
【０００６】
これにより固定無線局１４０は、自局用のメモリ２１に記憶されているデータに従って、自局内の移動無線局１１１〜１１３との間、又は自局の移動無線局１１１〜１１３のいずれかと他の固定無線局１２０、１３０の移動無線局１２１〜１２３または３１〜１３３のいずれかとの間の通信を、他の固定無線局１２０、１３０と連絡を取りながら中継する。
【０００７】
ところが、固定基地局１４０、１２０、１３０はお互いの動作状況を把握し合ってはいるが、どれかの固定無線局がソフトウエアの不具合等の動作異常を発生した場合、不具合を発生した固定無線局をリセットして復旧処理を行うことができなかった。また強制リセットを用いて復旧処理を行った場合、メモリに保存した無線基地局の重要データを消失する恐れがあった。この状況は、ＩＰネットワーク３００を介して複数の無線基地局が接続され、異なる無線基地局に属する移動無線局間で無線通信を行う場合も同様であった。特許文献１には、グループ間通信に必要なデータ処理とトラフィックの増加を抑え、ネットワーク機器の選択がグループ間通信の支障とならない通信システムについての記載がされている。
【特許文献１】特開２００５−１９７８４４号公報
【発明の開示】
【発明が解決しようとする課題】
【０００８】
本発明は、このような問題を解決するためになされたものであり、その目的は、無線基地局内の固定無線局における動作異常を検知し、検知に伴う動作停止と初期化設定を行う、固定無線局のリセット及び初期化設定システム及びその方法を提供することにある。
【課題を解決するための手段】
【０００９】
本発明の固定無線局のリセット及び初期化設定システムは、複数の移動無線局が、所定の無線基地局の所定の固定無線局に属し、固定無線局が、無線基地局間及び／又は無線基地局内間で、互いに通信動作状況を確認し合いながら、無線基地局間又は無線基地局内の移動無線局の通信の中継を行う固定無線局のリセット及び初期化設定システムであって、固定無線局は固定無線局制御部とイーサネット制御部とメモリ部とを有し、固定無線局制御部はリセット指令分析手段を有し、メモリ部は自局データを記憶する自局用メモリと他局データを記憶する他局用メモリとを有し、固定無線局制御部はメモリ部とイーサネット制御部とに接続され、且つイーサネット制御部はＩＰネットワークに接続され、固定無線局は、自局用メモリの自局データに基づき、他の無線基地局内の固定無線局又は当該の無線基地局内の他の固定無線局と通信中、いずれか一方の固定無線局が相手の固定無線局の動作異常を固定無線局制御部で検知してリセット指令を送信し、他方の固定無線局が送信されたリセット指令を受信してリセット指令分析手段で検出すると、中継動作を一旦リセットし、初期設定をやり直した後、中継を再開し、初期設定やり直し時に自局用メモリの自局データが消失していると、当該又は他の無線基地局内の固定無線局から自局用メモリの自局データをコピーして初期設定をやり直した後、中継を再開することを特徴とする。
【００１０】
本発明の固定無線局は、初期設定やり直し時に自局用メモリの自局データが消失している場合、リセット指令が当該の無線基地局内の他の固定無線局から送信されていると、該固定無線局から自局用メモリの自局データをコピーして初期設定をやり直した後、中継を再開し、リセット指令が他の無線基地局内の固定無線局から送信されていると、当該の無線基地局内のいずれかの固定無線局から自局用メモリの自局データをコピーして初期設定をやり直した後、中継を再開することを特徴とする。
【００１１】
本発明の固定無線局のリセット及び初期化設定方法は、複数の移動無線局が、所定の無線基地局の所定の固定無線局に属し、固定無線局が、無線基地局間及び／又は無線基地局内間で、互いに通信動作状況を確認し合いながら、無線基地局間又は無線基地局内の移動無線局の通信の中継を行う固定無線局のリセット及び初期化設定方法であって、固定無線局が、他の無線基地局内の固定無線局又は当該の無線基地局内の他の固定無線局と通信中、いずれか一方の固定無線局が相手の固定無線局の動作異常を検知してリセット指令を送信するステップと、他方の固定無線局が送信されたリセット指令を受信して検出するステップと、リセット指令を検出すると中継動作を一旦リセットするステップと、リセットを行った後、初期設定をやり直すステップと、初期設定のやり直し時に自局用メモリの自局データが消失しているか否かを判断するステップと、自局データが消失していなければ、初期設定の終了後、中継を再開するステップと、自局データが消失していれば、当該又は他の無線基地局内の固定無線局から自局用メモリの自局データをコピーして初期設定をやり直した後、中継を再開するステップとを有することを特徴とする。
【発明の効果】
【００１２】
本発明によれば、無線基地局間及び無線基地局内の固定無線局が、互いに通信動作状況を監視し合い、動作異常を検知するとリセット指令を送信し、リセット指令を受信した固定無線局は中継動作を停止し、自局のデータの初期化設定を行った後、中継動作を再開し、自局のデータが消失している場合は、他の固定無線局から自局のデータをコピーして自局のデータの初期化設定を行った後、中継動作を再開することが可能となる。
【発明を実施するための最良の形態】
【００１３】
本発明による固定無線局のリセット及び初期化設定システムの実施の形態について、図を用いて説明する。図１は、本発明によるシステムの固定無線局の構成を示す回路ブロック図である。図１において、固定無線局１００は、固定無線局制御部１０とイーサネット制御部３０とメモリ部２０とを有している。固定無線局制御部１０は、リセット指令分析手段１１を有し、メモリ部２０は自局データを記憶する自局用メモリ２１と各他局データをそれぞれ記憶する他局用メモリ２２、２３とを有する。固定無線局制御部１０はメモリ部２０に接続され、固定無線局制御部１０のリセット指令分析手段１１は、イーサネット制御部３０に接続され、且つイーサネット制御部３０はイーサネット回線４０によりＩＰネットワーク３００に接続されている。又固定無線局１００は、図示されていないが通常の無線通信に必要な送受信部及びベースバンド部を具備している。
【００１４】
図３における固定無線局１１０を、図１の固定無線局１００により動作させるとする。固定無線局制御部１０は、イーサネット制御部３０を通して他の固定無線局１２０、１３０と動作状況を確認し合う機能と、自局の動作を統括する機能とを有している。このためメモリ部２０の自局用のメモリ２１には、自局に属する移動無線局の固有のＩＤ、他の固定無線局１２０、１３０が有する固有のＩＤ、自局が使用可能なバンドＡの各チャネルの無線周波数等、重要な自局データが保存されている。
【００１５】
また他局用メモリ２２には、例えば固定無線局１２０に属する移動無線局の固有のＩＤ、他の固定無線局１００、１３０が有する固有のＩＤ、自局が使用可能なバンドＢの各チャネルの無線周波数等、重要なデータが保存されている。同様に、他局用メモリ２３には、固定無線局１３０に属する移動無線局の固有のＩＤ、他の固定無線局１００、１２０が有する固有のＩＤ、自局が使用可能なバンドＣの各チャネルの無線周波数等、重要なデータが保存されている。
【００１６】
固定無線局１００は、自局用のメモリ２１に記憶されている自局データに従って、自局内の移動無線局１１１〜１１３との間、又は自局の移動無線局１１１〜１１３のいずれかと他の固定無線局１２０、１３０の移動無線局１２１〜１２３または３１〜１３３のいずれかとの間の通信を、他の固定無線局１２０、１３０と連絡を取りながら中継する。
【００１７】
今、固定無線局１００の移動無線局１１１と固定無線局１３０の移動無線局１３３とが通信中であり、固定無線局１００がソフトウエアの不具合等の動作異常を発生したとする。固定無線局１３０は、固定無線局１００の動作異常を固定無線局１３０の固定無線局制御部１０で検知し、リセット指令を送信する。固定無線局１００のリセット指令分析手段１１は、ＩＰネットワーク３００、イーサネット回線４０、及びイーサネット制御部３０を介してリセット指令を受信し、固定無線局制御部１０に転送して中継動作をリセットする。
【００１８】
固定無線局１００の固定無線局制御部１０は中継動作をリセットすると、直ちにメモリ部２０の自局用メモリ２１の自局データをチェックし、データの消失がなければ初期設定をやり直した後、中継を再開する。自局メモリ２１の自局データが消失していると、当該又は他の無線基地局内の固定無線局のメモリ部の他局用メモリから自局用メモリの自局データをコピーして初期設定をやり直した後、中継を再開する。リセット指令が当該の無線基地局内の他の固定無線局から送信されている場合、該固定無線局から自局用メモリの自局データをコピーして初期設定をやり直した後、中継を再開しても良い。また、リセット指令が他の無線基地局内の固定無線局から送信されている場合、当該の無線基地局内のいずれかの固定無線局から、又は予め設定された固定無線局から自局用メモリの自局データをコピーして初期設定をやり直した後、中継を再開しても良い。
【００１９】
図２は、本発明の固定無線局のリセット及び初期化設定方法を示すフローチャートである。図２において、固定無線局が、他の無線基地局内の固定無線局又は当該の無線基地局内の他の固定無線局と通信中、いずれか一方の固定無線局が相手の固定無線局の動作異常を検知してリセット指令を送信信号に加えて送信する（ステップ１０）。もう一方の固定無線局は、送信された信号を受信してリセット指令を検出する（ステップ２０）。リセット指令を検出すると中継動作を一旦リセットする（ステップ３０）。リセットを行った後、初期設定をやり直す（ステップ４０）。初期設定のやり直し時に自局用メモリの自局データが消失しているか否かを判断する（ステップ５０）。自局データが消失していなければ、初期設定の終了後、中継を再開する（ステップ７０、ステップ８０）。自局データが消失していれば、当該又は他の無線基地局内の固定無線局から自局用メモリの自局データをコピーする（ステップ６０）。コピーした時局データにより初期設定をやり直した後、中継を再開する（ステップ７０、ステップ８０）。
【００２０】
以上説明したように、本発明によると、無線基地局間及び無線基地局内の固定無線局が、互いに通信動作状況を監視し合い、動作異常を検知するとリセット指令を送信し、リセット指令を受信した固定無線局は中継動作を停止し、自局のデータの初期化設定を行った後、中継動作を再開し、自局のデータが消失している場合は、他の固定無線局から自局のデータをコピーして自局のデータの初期化設定を行った後、中継動作を再開することが可能となる。
【図面の簡単な説明】
【００２１】
【図１】本発明によるシステムの固定無線局の構成を示す回路ブロック図。
【図２】本発明の固定無線局のリセット及び初期化設定方法を示す。
【図３】無線基地局と移動無線局との無線通信システム構成を示すシステム構成図。
【図４】従来の固定無線局を示す回路ブロック図。
【符号の説明】
【００２２】
１０  固定無線局制御部
１１  リセット指令分析手段
２０  メモリ部
２１  自局用メモリ
２２、２３  他局用メモリ
３０  イーサネット制御部
４０  イーサネット回線
１００、１１０、１２０、１３０  固定無線局
１１４、１２４、１３４  アンテナ
１１１〜１１３、１２１〜１２３、１３１〜１３３  移動無線局
２００  無線基地局
３００  ＩＰネットワーク
バンドＡ、Ｂ、Ｃ  利用チャネルの有効無線周波数帯域
【図１】
2007274470.tif 000003
【図２】
2007274470.tif 000004
【図３】
2007274470.tif 000005
【図４】
2007274470.tif 000006